(57)【要約】【課題】  ＬＥＤの光出力の向上とともにＬＥＤの寿命を長くすることのできるＬＥＤ点灯装置及びそれを組み込んだ照明装置を提供すること。【解決手段】  交流入力電源を整流する整流回路２と、同整流回路２によって得られる直流電源の＋側電源と接地との間に直列接続される抵抗器Ｒ１及びツェナーダイオーＺＤと、この抵抗器Ｒ１とツェナーダイオードＺＤとの間にベースが接続されたトランジスタＱとを備え、そのトランジスタＱのコレクタと＋側電源との間にＬＥＤ（ＬＤ）が接続され、かつトランジスタＱのエミッタと接地との間に抵抗器Ｒ２が接続されたＬＥＤ点灯装置１である。抵抗器Ｒ１及びツェナーダイオードＺＤの直列接続の前段に直流電源電圧を略一定に変換する電圧変換回路３を設け、同電圧変換回路３を前記ＬＥＤ（ＬＤ）の動作状態に応じてフィードバック制御する。【選択図】図１
2006040584.tif 000002
【特許請求の範囲】
【請求項１】
交流入力電源を整流する整流回路と、同整流回路によって得られる直流電源の＋側電源と接地との間に直列接続される抵抗器及びツェナーダイオードと、この抵抗器とツェナーダイオードとの間にベースが接続されたトランジスタとを備え、そのトランジスタのコレクタと＋側電源との間にＬＥＤが接続され、かつトランジスタのエミッタと接地との間に抵抗器が接続されたＬＥＤ点灯装置において、
前記抵抗器及びツェナーダイオードの直列接続の前段に直流電源電圧を略一定に変換する電圧変換回路を設け、同電圧変換回路を前記ＬＥＤの動作状態に応じてフィードバック制御することを特徴とするＬＥＤ点灯装置。
【請求項２】
前記ＬＥＤへの通電電流を検出する電流検出回路を設け、前記フィードバック制御を同電流検出回路の出力に応じてするよう成したことを特徴とする請求項１に記載のＬＥＤ点灯装置。
【請求項３】
交流入力電源を整流する整流回路と、同整流回路によって得られる直流電源の＋側電源と接地との間に直列接続される抵抗器及びツェナーダイオードと、この抵抗器とツェナーダイオードとの間にベースが接続されたトランジスタとを備え、そのトランジスタのコレクタと＋側電源との間にＬＥＤが接続され、かつトランジスタのエミッタと接地との間に抵抗器が接続されたＬＥＤ点灯装置において、
前記抵抗器及びツェナーダイオードの直列接続の前段に直流電源電圧を略一定に変換する電圧変換回路と、同電圧変換回路をタイマ制御するタイマ回路を設け、前記ＬＥＤの点灯時間経過に応じて制御することを特徴とするＬＥＤ点灯装置。
【請求項４】
交流入力電源を整流する整流回路と、同整流回路によって得られる直流電源の＋側電源と接地との間に直列接続される抵抗器及びツェナーダイオードと、この抵抗器とツェナーダイオードとの間にベースが接続されたトランジスタとを備え、そのトランジスタのコレクタと＋側電源との間にＬＥＤが接続され、かつトランジスタのエミッタと接地との間に抵抗器が接続されたＬＥＤ点灯装置において、
前記抵抗器及びツェナーダイオードの直列接続の前段に直流電源電圧を略一定に変換する電圧変換回路を設け、同電圧変換回路の出力電圧が温度補償されるよう成したことを特徴とするＬＥＤ点灯装置。
【請求項５】
請求項１乃至４に記載のＬＥＤ点灯装置を組み込んだ照明装置。
【発明の詳細な説明】
【技術分野】
【０００１】
本発明はＬＥＤ点灯装置及びそれを組み込んだ照明装置に関する。
【背景技術】
【０００２】
従来のＬＥＤ点灯装置には、図８に示すように、交流入力電源（ＡＣ）を整流する整流回路１０２と、この整流回路１０２によって得られる脈流電源の＋側電源（＋Ｖ）と接地との間に直列接続される抵抗器１０３及びツェナーダイオード１０４と、この抵抗器１０３とツェナーダイオード１０４との間にベースが接続されたトランジスタ１０５とを備え、そのトランジスタ１０５のコレクタと＋側電源との間にＬＥＤ１０１を接続させ、かつトランジスタ１０５のエミッタと接地との間に抵抗器１０６を接続するなどして、ＬＥＤ１０１の寿命を長くするとともに、ＬＥＤ１０１の光出力の向上をはかる対策を施したＬＥＤ点灯装置１００がある（例えば、特許文献１参照。）。
【０００３】
このＬＥＤ点灯装置１００にあっては、トランジスタ１０５のエミッタと整流回路１０２の接地側出力端との間に抵抗器１０６が接続されており、トランジスタ１０５、ツェナーダイオード１０４及び２つの抵抗器１０３、１０６らによって定電流回路が構成されている。そして、交流電源ＡＣをオンすると、整流回路１０２で整流された脈流の電源電圧が０から上昇し、ツェナーダイオード１０４のツェナー電圧を超えると、トランジスタ１０５のエミッタ電圧がベース〜エミッタ間の電位差に追従して一定電圧となり、抵抗器１０６に流れる電流値は略一定となる。その結果として、ＬＥＤ１０ｌには、図９に示すようなほぼ方形波形状の電流が流れることとなる。
【０００４】
ところで、ＬＥＤは、一般的に順方向電圧（Ｖｆ）のバラツキが大きく、さらに図１０に示す様に、ジャンクション部温度の変化によるＶｆの変動も大きいという性質がある。このことより、ＬＥＤ点灯装置にあっては、直流電源の電圧設定を行なうにあたり、ＬＥＤのＶｆのバラツキや、使用温度条件の範囲内におけるＬＥＤのＶｆ（ＶＬＥＤ）の変動を考慮し、直流電源の電圧を十分大きな値に設定する必要がある。
【０００５】
ここで、トランジスタ１０５に印加される電圧をＶＣＥ、抵抗器１０６に印加される電圧をＶＲ、整流回路１０２の出力電圧をＶＤＣとすると、ＶＣＥ＝ＶＤＣ−ＶＬＥＤ−ＶＲとなり、トランジスタ１０５での消費電力ロスＷＱは、ＬＥＤ１０ｌに流れる電流をＩＬＥＤとすると、ＷＱ＝ＩＬＥＤ×（ＶＤＣ−ＶＬＥＤ−ＶＲ）となる。ここで、ＬＥＤ１０１のＶＬＥＤのバラツキが大きく、温度によるＶＬＥＤ変動が大きいため、上記構成においては、ＶＤＣを十分大きな値に設定しておく必要があった。
【特許文献１】特開２０００−２６０５７８号公報
【発明の開示】
【発明が解決しようとする課題】
【０００６】
以上に述べた従来のＬＥＤ点灯装置１００にあっては、Ｖｆのバラツキの最大値や使用環境の下限温度を考慮して、整流回路１０２の出力を十分に大きな値に設定した場合、Ｖｆのバラツキ下限品を使用したとき、あるいは使用環境温度が高いときにおいて、順方向電圧Ｖｆが小さくなるとともにトランジスタ１０５のエミッタ電圧が大きくなる。その結果として、トランジスタ１０５による電力ロスが大きくなり、トランジスタ１０５が発熱する。さらに、直列接続されるＬＥＤの数が増えたり使用下限温度の低い条件のときには、トランジスタによる電力ロスが更に増大し、トランジスタによる発熱量も増加することとなる。
【０００７】
すなわち、上記構成によると、トランジスタ１０５の発熱の煽りを受けて、ＬＥＤ１０ｌが温度上昇することによる発光効率の低下が懸念される。また、ＬＥＤ自体の温度変動によりチップ接着部の劣化等が発生しやすくなる結果、ＬＥＤの寿命が短くなることが想定される。
【０００８】
本願発明は、上記背景技術に鑑みてなされたものであり、その課題は、ＬＥＤの光出力の向上とともにＬＥＤの寿命を長くすることのできるＬＥＤ点灯装置及びそれを組み込んだ照明装置を提供することである。
【課題を解決するための手段】
【０００９】
上記課題を解決するために、本願発明によるＬＥＤ点灯装置は、交流入力電源を整流する整流回路と、同整流回路によって得られる直流電源の＋側電源と接地との間に直列接続される抵抗器及びツェナーダイオードと、この抵抗器とツェナーダイオードとの間にベースが接続されたトランジスタとを備え、そのトランジスタのコレクタと＋側電源との間にＬＥＤが接続され、かつトランジスタのエミッタと接地との間に抵抗器が接続されたＬＥＤ点灯装置において、前記抵抗器及びツェナーダイオードの直列接続の前段に直流電源電圧を略一定に変換する電圧変換回路を設け、同電圧変換回路を前記ＬＥＤの動作状態に応じてフィードバック制御することを特徴としている。
【００１０】
そして、前記ＬＥＤへの通電電流を検出する電流検出回路を設け、前記フィードバック制御を同電流検出回路の出力に応じてすることが好ましい。
【００１１】
また、交流入力電源を整流する整流回路と、同整流回路によって得られる直流電源の＋側電源と接地との間に直列接続される抵抗器及びツェナーダイオードと、この抵抗器とツェナーダイオードとの間にベースが接続されたトランジスタとを備え、そのトランジスタのコレクタと＋側電源との間にＬＥＤが接続され、かつトランジスタのエミッタと接地との間に抵抗器が接続されたＬＥＤ点灯装置において、前記抵抗器及びツェナーダイオードの直列接続の前段に直流電源電圧を略一定に変換する電圧変換回路と、同電圧変換回路をタイマ制御するタイマ回路を設け、前記ＬＥＤの点灯時間経過に応じて制御することも好ましい。
【００１２】
また、交流入力電源を整流する整流回路と、同整流回路によって得られる直流電源の＋側電源と接地との間に直列接続される抵抗器及びツェナーダイオードと、この抵抗器とツェナーダイオードとの間にベースが接続されたトランジスタとを備え、そのトランジスタのコレクタと＋側電源との間にＬＥＤが接続され、かつトランジスタのエミッタと接地との間に抵抗器が接続されたＬＥＤ点灯装置において、前記抵抗器及びツェナーダイオードの直列接続の前段に直流電源電圧を略一定に変換する電圧変換回路を設け、同電圧変換回路の出力電圧が温度補償されるよう成すことも好ましい。
【００１３】
また、本願発明によるＬＥＤ点灯装置を組み込んだ照明装置は、前記のＬＥＤ点灯装置を組み込んだものとしている。
【発明の効果】
【００１４】
本願発明のＬＥＤ点灯装置及びそれを組み込んだ照明装置は、抵抗器及びツェナーダイオードの直列接続の前段に設けられた、直流電源電圧を電圧を略一定に変換する電圧変換回路が、ＬＥＤの動作状態に応じてフィードバック制御されるので、ＬＥＤの光出力の向上とともにＬＥＤの寿命を長くすることができる。
【００１５】
そして、フィードバック制御がＬＥＤへの通電電流を検出する電流検出回路の出力に応じてなされるので、ＬＥＤの光出力向上や長寿命がより確実になされるものとなる。
【００１６】
また、抵抗器及びツェナーダイオードの直列接続の前段に設けられた、直流電源電圧を略一定に変換する電圧変換回路を、ＬＥＤの点灯時間経過に応じてタイマ制御した結果として、ＬＥＤの光出力の向上とともにＬＥＤの寿命を長くすることができる。
【００１７】
また、抵抗器及びツェナーダイオードの直列接続の前段に設けられた、直流電源電圧を略一定に変換する電圧変換回路を温度補償した結果として、ＬＥＤの光出力の向上とともにＬＥＤの寿命を長くすることができる。
【発明を実施するための最良の形態】
【００１８】
本発明の上記および他の効果、特徴および利点を明確にすべく、添付した図面を参照しながら、本発明の実施の形態を以下に詳述する。図１を参照すると、本発明の第一の実施形態としてのＬＥＤ点灯装置の概略構成図が示されている。図２は、図１の構成によるＬＥＤ点灯装置の作用を示す説明図である。
【００１９】
この実施形態のＬＥＤ点灯装置１は、交流入力電源を整流する整流回路２と、同整流回路２によって得られる直流電源の＋側電源と接地との間に直列接続される抵抗器Ｒ１及びツェナーダイオードＺＤと、この抵抗器Ｒ１とツェナーダイオードＺＤとの間にベースが接続されたトランジスタＱとを備え、そのトランジスタＱのコレクタと＋側電源との間にＬＥＤ（ＬＤ）が接続され、かつトランジスタＱのエミッタと接地との間に抵抗器Ｒ２が接続されたＬＥＤ点灯装置において、前記抵抗器Ｒ１及びツェナーダイオードＺＤの直列接続の前段に直流電源電圧を略一定に変換する電圧変換回路３を設け、同電圧変換回路３を前記ＬＥＤ（ＬＤ）の動作状態に応じてフィードバック制御することとしている。
【００２０】
この場合、前記ＬＥＤ（ＬＤ）への通電電流を検出する電流検出回路４を設け、前記フィードバック制御を同電流検出回路４の出力に応じてするよう成してもいる。
【００２１】
電圧変換回路３は、整流回路２の出力側に接続されており、チョッパ回路３１と、後述する電流検出回路４からの検出信号により同チョッパ回路３１を制御するチョッパ制御回路３２とを備えている。この電圧変換回路３は、整流後の直流電源電圧を略一定の電圧に変換し、ＬＥＤ（ＬＤ）に供給している。
【００２２】
電流検出回路４は、ＬＥＤ（ＬＤ）に直列接続されたトランジスタＱのコレクタ〜エミッタ間電圧ＶＣＥと、抵抗器Ｒ２に印可される電圧ＶＲとの和となる電圧ＶＲＱを、ＬＥＤ（ＬＤ）への通電電流の検出信号として電圧変換回路３へ向け出力する。
【００２３】
上記構成においては、トランジスタＱのベース電圧は、ツェナーダイオードＺＤより略一定となり、トランジスタＱのエミッタ電圧もベース〜エミッタの電位差をもって追従し略一定となる。これにより、抵抗器Ｒ２に流れる電流が略一定となり、ＬＥＤ（ＬＤ）に流れる電流値ＩＬＥＤも略一定となる。ツェナーダイオードＺＤの電圧をＶＺＤ、トランジスタＱのベース〜エミッタ間電圧をＶＢＥとすると、ＩＬＥＤ＝（ＶＺＤ−ＶＢＥ）／Ｒ２となる。ここで、ＶＢＥは発熱により低下するが、本構成によるとツェナーダイオードＺＤは負特性のものを使用し、ＶＺＤをＶＢＥと同程度まで低下させて温度変化に対しても定電流状態を保つ様にしている。
【００２４】
例えばＶＺＤ＝１．５Ｖ、ＶＢＥ＝０．７Ｖとすると、抵抗器Ｒ２に印加される電圧ＶＲ＝１．５−０．７＝０．８Ｖとなる。ＬＥＤ（ＬＤ）のＶｆをＶＬＥＤとする。トランジスタＱのコレクタ〜エミッタ間には０．２Ｖ程度を必要とすると、チョッパ出力電圧ＶＤＣは、ＶＤＣ≧ＶＬＥＤ＋０．８＋０．２＝ＶＬＥＤ＋１でなければならない。このＶＬＥＤはバラツキ、及び温度に対する変動を考慮して、最大値で考える必要がある。
【００２５】
上記構成のＬＥＤ点灯装置１の交流電源ＡＣをオンすると、図２に示す様に、ＶＬＥＤは時間と共に低下するが、チョッパ制御回路３２が電流検出回路４からの検出信号に応じて検出電圧ＶＱが略一定となるようにをチョッパ回路３１を制御する。これにより、ＶＬＥＤの低下に伴いＶＤＣも低下することとなる。ＶＣＥ＝ＶＲＱ−ＶＲとなり、トランジスタＱの消費電力ロスＷＱは、ＷＱ＝ＩＬＥＤ×ＶＣＥ＝ＩＬＥＤ×（ＶＲＱ−ＶＲ）となる。この場合、ＶＲＱ、ＶＲが共に略一定であるため、ＬＥＤ（ＬＤ）を駆動しているトランジスタＱの消費電力ロスＷＱを略一定にすることが出来るのである。
【００２６】
したがって、以上説明したＬＥＤ点灯装置１及びそれを組み込んだ照明装置によると、抵抗器Ｒ１及びツェナーダイオードＺＤの直列接続の前段に設けられた、直流電源電圧を電圧を略一定に変換する電圧変換回路３が、ＬＥＤ（ＬＤ）の動作状態に応じてフィードバック制御されるので、ＬＥＤ（ＬＤ）の光出力の向上とともにＬＥＤ（ＬＤ）の寿命を長くすることができる。
【００２７】
そして、フィードバック制御がＬＥＤ（ＬＤ）への通電電流を検出する電流検出回路４の出力に応じてなされるので、ＬＥＤ（ＬＤ）の光出力向上や長寿命がより確実になされるものとなる。
【００２８】
なお、上記実施の形態において、電圧変換回路３を前記ＬＥＤ（ＬＤ）の動作状態に応じてフィードバック制御する構成は、上記電流検出回路４以外に、例えば図３に示すように、ＬＥＤ（ＬＤ）のＶｆ（ＶＬＥＤ）を検出し、その検出電圧の値に応じた信号を発生する電圧検出回路５としてもよい。
【００２９】
この構成のＬＥＤ点灯装置１は、交流電源ＡＣをオンすると、ＬＥＤ（ＬＤ）は自らの電力ロスによる発熱や他の構成部品の発熱の煽りを受けて温度上昇し、ＬＥＤ（ＬＤ）の両端電圧ＶＬＥＤは時間と共に低下するが、ＶＬＥＤの低下に応じて電圧検出回路５は検出信号を発生し、その検出信号に応じてチョッパ制御回路３２がチョッパ回路３１をリニアに制御し、ＶＤＣも低下することとなる。すなわち、ＶＣＥ＝ＶＤＣ−ＶＬＥＤ−ＶＲであるので、トランジスタＱの消費電力ロスＷＱは、ＷＱ＝ＩＬＥＤ×ＶＣＥ＝ＩＬＥＤ×（ＶＤＣ−ＶＬＥＤ−ＶＲ）となり、ＶＲが略一定であり、ＶＬＥＤが低下するのに応じてＶＤＣを低下させるので、トランジスタＱの消費電力ロスＷＱの増加を抑えることが出来るのである。
【００３０】
次に、図４を参照すると、本発明の第二の実施形態としてのＬＥＤ点灯装置の概略構成図が示されている。図５は、図４の構成によるＬＥＤ点灯装置の作用を示す説明図である。
【００３１】
この実施形態のＬＥＤ点灯装置１は、交流入力電源を整流する整流回路２と、同整流回路２によって得られる直流電源の＋側電源と接地との間に直列接続される抵抗器Ｒ１及びツェナーダイオードＺＤと、この抵抗器Ｒ１とツェナーダイオードＺＤとの間にベースが接続されたトランジスタＱとを備え、そのトランジスタＱのコレクタと＋側電源との間にＬＥＤ（ＬＤ）が接続され、かつトランジスタＱのエミッタと接地との間に抵抗器Ｒ２が接続されたＬＥＤ点灯装置において、前記抵抗器Ｒ１及びツェナーダイオードＺＤの直列接続の前段に直流電源電圧を略一定に変換する電圧変換回路３と、同電圧変換回路３をタイマ制御するタイマ回路６を設け、前記ＬＥＤ（ＬＤ）の点灯時間経過に応じて制御することとしている。なお、このタイマ回路６は、ある所定時間Ｔｌ後に信号を発生しチョッパ制御回路３２に出力するようにしている。
【００３２】
上記構成においても、前述のものと同じく、チョッパ出力電圧ＶＤＣは、ＶＤＣ≧ＶＬＥＤ＋０．８＋０．２＝ＶＬＥＤ＋１でなければならない。このＶＬＥＤはバラツキ、温度に対する変動を考慮して、最大値で考える必要がある。
【００３３】
上記構成のＬＥＤ点灯装置１の交流電源ＡＣをオンすると、図５に示す様に、ＶＬＥＤは時間と共に低下するが、所定時間Ｔｌ後にタイマ回路６は信号を発生し、チョッパ制御回路３２はタイマ回路６からの信号を受け、図５に示す様に、チョッパ出力電圧をＶＤＣ１からＶＤＣ２に低下させている。
【００３４】
これにより、ＶＣＥ＝ＶＤＣ−ＶＬＥＤ−ＶＲであるので、トランジスタＱの消費電力ロスＷＱは、ＷＱ＝ＩＬＥＤ×ＶＣＥ＝ＩＬＥＤ×（ＶＤＣ−ＶＬＥＤ−ＶＲ）となる。本実施例によれば、ＶＬＥＤは時間と共に低下するが、ＶＲが略一定であり、所定時間Ｔｌ後に出力電圧ＤＣ２８をＶＤＣ１からＶＤＣ２に低下させるので、トランジスタＱの消費電力ロスＷＱの増加を抑えることが出来るのである。
【００３５】
したがって、以上説明したＬＥＤ点灯装置１及びそれを組み込んだ照明装置によると、抵抗器Ｒ１及びツェナーダイオードＺＤの直列接続の前段に設けられた、直流電源電圧を略一定に変換する電圧変換回路３を、ＬＥＤ（ＬＤ）の点灯時間経過に応じてタイマ制御した結果として、ＬＥＤ（ＬＤ）の光出力の向上とともにＬＥＤ（ＬＤ）の寿命を長くすることができる。
【００３６】
次に、図６を参照すると、本発明の第三の実施形態としてのＬＥＤ点灯装置の概略構成図が示されている。図７は、図６の構成によるＬＥＤ点灯装置の作用を示す説明図である。
【００３７】
この実施形態のＬＥＤ点灯装置１は、交流入力電源を整流する整流回路２と、同整流回路２によって得られる直流電源の＋側電源と接地との間に直列接続される抵抗器Ｒ１及びツェナーダイオードＺＤと、この抵抗器Ｒ２とツェナーダイオードＺＤとの間にベースが接続されたトランジスタＱとを備え、そのトランジスタＱのコレクタと＋側電源との間にＬＥＤ（ＬＤ）が接続され、かつトランジスタＱのエミッタと接地との間に抵抗器Ｒ２が接続されたＬＥＤ点灯装置において、前記抵抗器Ｒ１及びツェナーダイオードＺＤの直列接続の前段に直流電源電圧を略一定に変換する電圧変換回路３を設け、同電圧変換回路３の出力電圧が温度補償されるよう成すこととしている。
【００３８】
電圧変換回路３は、この場合、スイッチング電源用ＩＰＤ(インテリジェント・パワーデバイス）ＰＤ（例えば、松下電器製  品番ＭＩＰＯ２２１）を中心にして、ダイオードＤ１、Ｄ２、負特性をもったツェナーダイオードＺＤ３、インダクタＬ、コンデンサＣ１、Ｃ２、Ｃ３から成る降圧チョッパ回路にて構成している。この降圧チョッパ回路は、ＩＰＤ（ＰＤ）がオンすると、電流がＩＰＤ（ＰＤ）、インダクタＬ、コンデンサＣ２の経路で流れ、インダクタＬを励磁し、かつコンデンサＣ２を充電する。また、ＩＰＤ（ＰＤ）がオフすると、インダクタＬの励磁エネルギーによってダイオードＤ１、インダクタＬ、コンデンサＣ２の経路にて電流が流れコンデンサＣ２を充電する。ここで、ツェナーダイオードＺＤ３のツェナー電圧をＶＺＤ３とすると、コンデンサＣ２の電圧ＶＣは、ＶＣ＝ＶＺＤ３＋５．７となり、整流後の電圧を略一定の電圧ＶＣに変換しＬＥＤ（ＬＤ）に電源電圧を供給する。なお、同構成においてコンデンサＣ１は、整流回路２にて整流された電圧を平滑するもので、電圧変換回路３は、負特性をもったツェナーダイオードＺＤ３にてその出力電圧が温度補償されるようにしてある。
【００３９】
ツェナーダイオードＺＤにより、トランジスタＱのベース電圧は略一定となり、トランジスタＱのエミッタ電圧はベース〜エミッタの電位差で追従し略一定となるため、抵抗器Ｒ２に流れる電流が略一定となり、結果としてＬＥＤ（ＬＤ）に流れる電流値ＩＬＥＤは略一定となる。ツェナーダイオードＺＤの電圧をＶＺＤ、トランジスタＱのベース〜エミッタ間電圧をＶＢＥ、抵抗器Ｒ２の抵抗値をＲとすると、ＩＬＥＤ＝（ＶＺＤ−ＶＢＥ）／Ｒとなる。ここで、ＶＢＥは発熱により低下する。
【００４０】
この実施形態のＬＥＤ点灯装置１では、ツェナーダイオードＺＤとして負特性のものを使用し、ＶＺＤをＶＢＥと同程度低下させて温度変化に対しても定電流状態を保つ様に動作している。例えばＶＺＤ＝１．５Ｖ、ＶＢＥ＝０．７Ｖとすると、抵抗器Ｒ２に印加される電圧ＶＲ＝１．５−０．７＝０．８Ｖとなる。ＬＥＤ（ＬＤ）のＶｆをＶＬＥＤとする。トランジスタＱのコレクタ〜エミッタ間に０．２Ｖ必要とすると、コンデンサＣ２の電圧ＶＣは、ＶＣ≧ＶＬＥＤ＋０．８＋０．２＝ＶＬＥＤ＋１でなければならない。このＶＬＥＤはバラツキ、温度に対する変動を考慮して、最大値で考える必要がある。
【００４１】
上記構成のＬＥＤ点灯装置１の交流電源ＡＣをオンすると、図７に示す様に、ＬＥＤ（ＬＤ）は自らの電力ロスによる発熱や他の構成部品の発熱の煽りを受けて温度上昇し、ＬＥＤ（ＬＤ）の両端電圧ＶＬＥＤは時間と共に低下するが、発熱や他部晶の発熱の煽りを受けて温度上昇しＬＥＤ（ＬＤ）の両端電圧ＶＬＥＤは時間と共に低下するが、負特性のツェナーダイオードＺＤ３を使用しているため、自らの発熱や他部品の発熱の煽りを受けて温度上昇することでそのツェナー電圧が低下し、ＶＣを時間と共に低下させる様に動作するのである。すなわち、ＶＣＥ＝ＶＣ−ＶＬＥＤ−ＶＲであるので、トランジスタＱの消費電力ロスＷＱはＷＱ＝ＩＬＥＤ×ＶＣＥ＝ＩＬＥＤ×（ＶＣ−ＶＬＥＤ−ＶＲ）となる。本構成によれば、ＶＲは略一定であり、ＶＬＥＤが低下するのに応じてＶＣを低下させるので、トランジスタＱの消費電力ロスＷＱの増加を抑えることが出来るのである。
【００４２】
したがって、上記構成のＬＥＤ点灯装置１及びそれを組み込んだ照明装置によると、抵抗器Ｒ１及びツェナーダイオードＺＤの直列接続の前段に設けられた、直流電源電圧を略一定に変換する電圧変換回路３を、ツェナーダイオードＺＤ３の温度特性にて温度補償した結果として、ＬＥＤ（ＬＤ）の光出力の向上とともにＬＥＤ（ＬＤ）の寿命を長くすることができる。
【００４３】
以上説明したように、本発明のＬＥＤ点灯装置１及びそれを組み込んだ照明装置によれば、ＬＥＤ（ＬＤ）のＶｆが低下した際に電圧変換回路３の出力電圧を低下させることで、ＬＥＤ（ＬＤ）に印加される電圧を軽減し、トランジスタＱの消費電力ロスＷＱを軽減出来ることから、ＬＥＤ点灯装置１全体の発熱を抑えることが出来る。また、トランジスタＱの発熱の煽りを受けていたＬＥＤ（ＬＤ）も発熱を抑えることが出来るので、定格の大きな電子部晶が不要となるとともに回路効率が改善できる。また、ＬＥＤの発光効率を向上するとともにＬＥＤの光束劣化も軽減することができる。さらに、放熱フィンなどを用いた放熱が不要になるため、コストを抑えたり小型化することが可能となるなどの効果を奏するのである。なお、本発明は上記各実施例に限定されず、本発明の技術思想の範囲内において、各実施例は適宜変更され得ることは明らかである。
【図面の簡単な説明】
【００４４】
【図１】本願発明の第一の実施形態であるＬＥＤ点灯装置の概略構成図。
【図２】同ＬＥＤ点灯装置の作用を示す説明図。
【図３】同ＬＥＤ点灯装置の別実施例の概略構成図。
【図４】第二の実施形態であるＬＥＤ点灯装置の概略構成図。
【図５】同ＬＥＤ点灯装置の作用を示す説明図。
【図６】第三の実施形態であるＬＥＤ点灯装置の概略構成図。
【図７】同ＬＥＤ点灯装置の作用を示す説明図。
【図８】従来例のＬＥＤ点灯装置を示す概略構成図。
【図９】同ＬＥＤ点灯装置の動作状態を示す説明図。
【図１０】同ＬＥＤ点灯装置の作用を示す説明図。
【符号の説明】
【００４５】
１      ＬＥＤ点灯装置
２      整流回路
３      電圧変換回路
３１     チョッパ回路
３２     チョッパ制御回路
４      電流検出回路
５      電圧検出回路
６      タイマ回路
ＡＣ      交流電源
Ｔｌ      所定時間
【図１】
2006040584.tif 000003
【図２】
2006040584.tif 000004
【図３】
2006040584.tif 000005
【図４】
2006040584.tif 000006
【図５】
2006040584.tif 000007
【図６】
2006040584.tif 000008
【図７】
2006040584.tif 000009
【図８】
2006040584.tif 000010
【図９】
2006040584.tif 000011
【図１０】
2006040584.tif 000012